(57)【要約】【課題】自端末のＥメール・アドレスを容易に確認することができる通信装置および電子メール配送システムを提供する。【解決手段】自端末のＥメール・アドレスの参照、登録、登録削除等を要求する要求メールが要求メール送信部１２１において生成されて電子メール・サーバ装置４０に送信され、この要求メールに応じて電子メール・サーバ装置４０より送信される返答メールが返答メール受信部１２２において受信される。そして、アドレス情報処理部１２３において、受信された返答メールに含まれる自端末のＥメール・アドレスに関連する情報が抽出され、記憶部１３０に記憶される。記憶されたＥメール・アドレスの情報は、ユーザインターフェース部１４０における所定の入力操作に応じて記憶部１３０から読み出され、ユーザインターフェース部１４０から出力される。【選択図】図３
2005073159.tif 000002
【特許請求の範囲】
【請求項１】
所定のアドレス宛ての電子メールが、自らの端末識別番号宛ての電子メールに変換されて配送される通信装置であって、
上記自らの端末識別番号に対応する上記所定のアドレスの参照を要求する要求メールを所定のサーバ装置宛に送信する電子メール送信手段と、
上記要求メールに応じて上記サーバ装置より送信される返答メールを受信する電子メール受信手段と、
記憶手段と、
上記返答メールに含まれる上記所定のアドレスに関連する情報を抽出し、当該抽出したアドレスの情報を上記記憶手段に記憶させるアドレス情報処理手段と、
上記記憶手段に記憶される上記所定のアドレスの情報を出力するユーザインターフェース手段と、
を有することを特徴とする通信装置。
【請求項２】
上記電子メール送信手段は、上記自らの端末識別番号に対応する上記所定のアドレスの登録を要求する要求メールを所定のサーバ装置宛に送信し、
上記アドレス情報処理手段は、上記要求メールに応じて上記電子メール受信手段に受信される返答メールから、上記登録要求が受理されたアドレスに関連する情報を抽出し、当該抽出したアドレスの情報を上記記憶手段に記憶させることを特徴とする、
請求項１に記載の通信装置。
【請求項３】
上記電子メール送信手段は、上記自らの端末識別番号に対応する上記所定のアドレスの登録削除を要求する要求メールを所定のサーバ装置宛に送信し、
上記アドレス情報処理手段は、上記要求メールに応じて上記電子メール受信手段に受信される返答メールにおいて上記登録削除の要求が受理されたか否かを判定し、当該判定結果に応じて上記記憶手段に記憶されるアドレスの情報を更新することを特徴とする、
請求項１または２に記載の通信装置。
【請求項４】
上記ユーザインターフェース手段における所定の入力操作に応じて、上記記憶手段に記憶される上記所定のアドレスの情報を読み出し、当該読み出したアドレスの情報を含む電子データを作成する電子データ作成手段を有することを特徴とする、
請求項１から３の何れか一に記載の通信装置。
【請求項５】
上記アドレス情報処理手段は、上記電子メール送信手段において送信される上記要求メールに応じた上記返答メールが所定時間内に上記電子メール受信手段に受信されない場合、上記記憶手段に記憶される上記所定のアドレスの情報を初期化することを特徴とする、
請求項１から４の何れか一に記載の通信装置。
【請求項６】
固有の端末識別番号を有し、当該端末識別番号宛てに送信される電子メールを受信可能な通信装置と、
所定のアドレス宛ての電子メールを受信し、当該受信した電子メールを当該所定のアドレスに対応する上記端末識別番号宛ての電子メールに変換して上記通信装置に送信するサーバ装置と、を有し、
上記通信装置は、
上記自らの端末識別番号に対応する上記所定のアドレスの参照を要求する要求メールを上記サーバ装置宛に送信する電子メール送信手段と、
上記要求メールに応じて上記サーバ装置より送信される返答メールを受信する電子メール受信手段と、
記憶手段と、
上記返答メールに含まれる上記所定のアドレスに関連する情報を抽出し、当該抽出したアドレスの情報を上記記憶手段に記憶させるアドレス情報処理手段と、
上記記憶手段に記憶される上記所定のアドレスの情報を出力するユーザインターフェース手段と、を有し、
上記サーバ装置は、上記通信装置から上記要求メールを受信した場合、当該要求元の通信装置の端末識別番号に対応する上記所定のアドレスに関連する情報を含んだ上記返答メールを生成し、当該生成した返答メールを当該要求元の通信装置に宛てて送信することを特徴とする、
電子メール配送システム。
【発明の詳細な説明】
【技術分野】
【０００１】
本発明は通信装置および電子メール配送システムに係り、例えば、携帯電話網からインターネットの電子メールの送受信が可能な通信装置とその電子メール配送システムに関するものである。
【背景技術】
【０００２】
近年、携帯電話による電子メールが急速に普及しており、携帯電話の利用形態の中で電子メールの占める割合が増えている。例えば、ＳＭＳ（short message service）と称される電子メール配送サービスは、音声通話用の通信シーケンスを使って携帯電話同士の簡単なメッセージのやり取りを可能にするサービスであり、通信料金が安価に設定されていることから、多くのユーザを獲得している。
【０００３】
ＳＭＳでは、同じ事業者と契約している携帯電話の間でＳＭＳの電子メール（以降、ＳＭＳメールと表記する）をやり取りする場合に、送信先の電話番号を指定してＳＭＳメールの送信が行われる。このため、他の携帯電話へ送信するＳＭＳメールを作成する場合、ユーザはメール用の特別なアドレスを入力する必要がない。また、他の携帯電話から受信したＳＭＳメールを開くと、送信元のメール・アドレスとして、その携帯電話の電話番号が表示される。
【０００４】
一方、ＳＭＳを提供する多くの通信事業者は、ＳＭＳメールとインターネットの電子メール（以降、Ｅメールと表記する）とを双方向に交換するサービスも提供している。
【０００５】
このＥメール交換サービスを利用して携帯電話からインターネット上のコンピュータ等に送信するＥメールを作成する場合、ユーザは送信先のＥメール・アドレスを入力する必要がある。ただし、送信先に通知する自らのＥメール・アドレスについては、ＳＭＳＣ（SMS center）と称されるサーバ装置においてＳＭＳメールからＥメールへの変換が行われる際に自動的に設定される。
また、このＥメール交換サービスを利用してインターネット上のコンピュータ等から携帯電話へ送信されるＥメールは、上述したＳＭＳＣにおいてＳＭＳメールに変換される際に、その宛先を示す情報がＥメール・アドレスから電話番号へ自動的に書き換えられる。
【０００６】
したがって、ＳＭＳメールのユーザは、自らの携帯電話が持つＥメール・アドレスを全く意識することなく、容易にＥメールの送受信を行うことが可能である。
【０００７】
下記の特許文献１には、メール作成時における宛先設定の簡易化を図った携帯端末に関する技術が記載されている。
【特許文献１】特開２００２−３２００２５号公報
【発明の開示】
【発明が解決しようとする課題】
【０００８】
このように、ＳＭＳメールのユーザは、自端末のＥメール・アドレスを意識せずにＥメールを送受信できるが、この簡易性は、自端末のＥメール・アドレスを知る必要が生じた場合に不利益となる。
一般に、ＳＭＳメールのユーザが自端末のＥメール・アドレスを知るためには、ＳＭＳＣへ所定の問い合わせ用メールを送信する必要がある。ＳＭＳＣは、この問い合わせメールを受信すると、問い合わせ元の電話番号に対応したＥメール・アドレスをデータベースから検索し、その検索結果を返答メールとして問い合わせ元に通知する。ユーザは、返信された返答メールを開いて、メール中に書き込まれている自端末のＥメール・アドレスをディスプレイに表示させ、これを紙などに書き写す等の煩雑な作業を行わなくてはならない。
【０００９】
仮に、ＳＭＳメールの中に自端末のＥメール・アドレスを挿入するようにＳＭＳのシステムを変更すれば、自端末のＥメール・アドレスを確認し易くすることができる。しかしながら、ＳＭＳでは音声通話用の通信シーケンスを使ってメッセージの伝送を行うため、この通信シーケンスと無関係なＥメール・アドレスは伝送対象のメッセージ中に含める必要がある。そのため、この方法では、伝送可能なメッセージの長さが更に短くなってしまうという不利益が生じる。
【００１０】
本発明はかかる事情に鑑みてなされたものであり、その目的は、所定のアドレス宛ての電子メールが自らの端末識別番号宛ての電子メールに変換されて配送されるとともに、上記自らの端末識別番号に対応する上記所定のアドレスを容易に確認することが可能な通信装置とその電子メール配送システムを提供することにある。
【課題を解決するための手段】
【００１１】
本発明の第１の観点は、所定のアドレス宛ての電子メールが、自らの端末識別番号宛ての電子メールに変換されて配送される通信装置であって、上記自らの端末識別番号に対応する上記所定のアドレスの参照を要求する要求メールを所定のサーバ装置宛に送信する電子メール送信手段と、上記要求メールに応じて上記サーバ装置より送信される返答メールを受信する電子メール受信手段と、記憶手段と、上記返答メールに含まれる上記所定のアドレスに関連する情報を抽出し、当該抽出したアドレスの情報を上記記憶手段に記憶させるアドレス情報処理手段と、上記記憶手段に記憶される上記所定のアドレスの情報を出力するユーザインターフェース手段とを有する。
【００１２】
また、上記ユーザインターフェース手段における所定の入力操作に応じて、上記記憶手段に記憶される上記所定のアドレスの情報を読み出し、当該読み出したアドレスの情報を含む電子データを作成する電子データ作成手段を有しても良い。
【００１３】
上記アドレス情報処理手段は、上記電子メール送信手段において送信される上記要求メールに応じた上記返答メールが所定時間内に上記電子メール受信手段に受信されない場合、上記記憶手段に記憶される上記所定のアドレスの情報を初期化しても良い。
【００１４】
本発明の第２の観点の電子メール配送システムは、固有の端末識別番号を有し、当該端末識別番号宛てに送信される電子メールを受信可能な通信装置と、所定のアドレス宛ての電子メールを受信し、当該受信した電子メールを当該所定のアドレスに対応する上記端末識別番号宛ての電子メールに変換して上記通信装置に送信するサーバ装置とを有する。上記通信装置は、上記自らの端末識別番号に対応する上記所定のアドレスの参照を要求する要求メールを上記サーバ装置宛に送信する電子メール送信手段と、上記要求メールに応じて上記サーバ装置より送信される返答メールを受信する電子メール受信手段と、記憶手段と、上記返答メールに含まれる上記所定のアドレスに関連する情報を抽出し、当該抽出したアドレスの情報を上記記憶手段に記憶させるアドレス情報処理手段と、上記記憶手段に記憶される上記所定のアドレスの情報を出力するユーザインターフェース手段とを有する。上記サーバ装置は、上記通信装置から上記要求メールを受信した場合、当該要求元の通信装置の端末識別番号に対応する上記所定のアドレスに関連する情報を含んだ上記返答メールを生成し、当該生成した返答メールを当該要求元の通信装置に宛てて送信する。
【発明の効果】
【００１５】
本発明の通信装置によれば、所定のアドレス宛ての電子メールが自らの端末識別番号宛ての電子メールに変換されて配送されるとともに、上記自らの端末識別番号に対応する上記所定のアドレスを容易に確認することができる。
また、本発明の電子メール配送システムによれば、所定のアドレス宛ての電子メールが当該所定のアドレスに対応する端末識別番号宛ての電子メールに変換され、当該端末識別番号を有する通信装置へ送信されるとともに、上記端末識別番号に対応する上記所定のアドレスを通信装置において容易に確認することができる。
【発明を実施するための最良の形態】
【００１６】
図１は、本発明の実施形態に係る電子メール配送システムの構成の一例を示すブロック図である。
図１に例示する電子メール配送システムは、通信装置１０−１および１０−２と、基地局２０−１および２０−２と、交換機３０と、電子メール・サーバ装置４０と、ゲートウェイ装置５０とを有する。
電子メール・サーバ装置４０は、本発明のサーバ装置の一実施形態である。
【００１７】
［通信装置１０−１，１０−２］
通信装置１０−１および１０−２は、携帯電話網（図１の例では、基地局２０−１および２０−２、交換機３０、電子メール・サーバ装置４０を有する）を介して互いに音声通話や電子メールによる通信を行うことが可能であるとともに、インターネットに接続されたコンピュータ等の装置とＥメールによる通信を行うことが可能である。
通信装置１０−１および１０−２には、例えば携帯電話やＰＤＡ（personal digital assistant）など、携帯電話網等の通信網を介して通信可能な各種の通信端末が含まれる。
【００１８】
通信装置１０−１および１０−２は、携帯電話網においてそれぞれ固有の端末識別番号（以降、電話番号と表記する）を有しており、携帯電話網を介した通信では、この電話番号により識別される通信装置の間において所定の通信シーケンスにより通信セッションが開設され、音声通話や電子メールの送受信が行われる。
【００１９】
また、通信装置１０−１および１０−２は、インターネットにおいて固有のＥメール・アドレスをそれぞれ有しており、インターネットを介したＥメールによる通信では、このＥメール・アドレスによって識別されるＥメール端末装置との間において電子メールの送受信が行われる。なお、通信装置１０−１および１０−２のＥメール・アドレスは、後述する電子メール・サーバ装置４０において、それぞれの電話番号に関連付けて登録される。
【００２０】
［通信基地局２０−１，２０−２］
通信基地局２０−１および２０−２は、自らの通信エリア内に位置する通信装置と無線により通信を行い、通信装置から受信したデータを交換機３０へ出力するとともに、交換機３０から入力されるデータを通信装置へ送信する。
【００２１】
［交換機３０］
交換機３０は、通信基地局を介して入力される通信装置の個体識別情報に基づいて、各通信基地局の通信エリア内にどの通信装置が位置しているかを把握し、その情報を各通信装置の位置情報として登録する。そして、通信装置から発呼があった場合に、この位置情報に基づいて着呼側の通信装置が位置する通信基地局を特定し、特定した通信基地局から着呼側の通信装置を呼び出して、両者の通信セッションを開設する。
【００２２】
また、交換機３０は、携帯電話網の通信装置から電子メールを入力した場合、これを電子メール・サーバ装置４０へ出力する。電子メール・サーバ装置４０から電子メールを入力した場合は、その宛先の通信装置へ当該電子メールを送信する。
【００２３】
［電子メール・サーバ装置４０］
電子メール・サーバ装置４０は、インターネットのＥメール端末装置から携帯電話網の通信装置に宛てて送信されたＥメールをゲートウェイ装置５０から入力した場合、入力したＥメールの宛先を携帯電話網の電子メールに変換して交換機３０に出力する。また、携帯電話網の通信装置からインターネットのＥメール端末装置に宛てて送信された電子メールを交換機３０から入力した場合、入力した携帯電話網の電子メールの宛先をＥメールに変換してゲートウェイ装置５０に出力する。
【００２４】
電子メール・サーバ装置４０は、Ｅメール・アドレスと電話番号とを対応付けるテーブルを有しており、このテーブルを参照して、携帯電話網の電子メールとＥメールとの変換を行う。
【００２５】
また、電子メール・サーバ装置４０は、交換機３０から入力した電子メールが自端末のＥメール・アドレスの参照、登録、登録の削除等を要求する後述の要求メールの場合、要求メールに応じた返答メールを作成して要求元の通信装置に返送する。要求メールにおいてＥメール・アドレスの登録や削除を要求された場合は、これに応じて上述したテーブルにおけるＥメール・アドレスの登録内容を更新する。
要求メールの受信処理と返答メールの送信処理については、図８〜図１１を参照して後程詳しく述べる。
【００２６】
次に、通信装置１０−１および１０−２の構成について説明する。
【００２７】
図２は、本発明の実施形態に係る通信装置１０の構成の一例を示すブロック図であり、上述した通信装置１０−１および１０−２はこれと同様な構成を有する。
図２に例示する通信装置１０は、通信処理部１１０と、制御部１２０と、記憶部１３０と、ユーザインターフェース部１４０とを有する。
【００２８】
［通信処理部１１０］
通信処理部１１０は、制御部１２０の制御に従って携帯電話網の基地局との無線通信処理を行う。
【００２９】
［制御部１２０］
制御部１２０は、電源の起動時やリセット時などにおいて図示しないプログラム・メモリからプログラムを読み込み、このプログラムに従って、通信装置１０の全体的な動作に係わる種々の処理を実行する。
【００３０】
例えば、制御部１２０は、音声通話に関する処理として、ユーザインターフェース部１４０におけるキー入力操作に応じて通信処理部１１０の発呼や着信のシーケンスを制御する処理や、ユーザインターフェース部１４０において入出力される音声を通信処理部１１０において送受信させる処理などを行う。
また、電子メールに関する処理として、ユーザインターフェース部１４０におけるキー入力操作に応じて電子メールを作成する処理や、作成した電子メールを通信処理部１１０から送信させる処理、通信処理部１１０において他の通信装置からの電子メールを受信させる処理、記憶部１３０に記憶されている自端末のＥメール・アドレスの情報をユーザインターフェース部１４０から出力させる処理などを行う。
【００３１】
更に、制御部１２０は、図３や図４に示す機能的なブロック構成を有するプログラムに基づいて、次に述べる処理を実行する。
【００３２】
図３は、自端末のＥメール・アドレスの参照、登録、登録削除に係わる処理を行う制御部１２０のプログラムの構成例を示すブロック図である。
図３に示すプログラムは、要求メール送信部１２１と、返答メール受信部１２２と、アドレス情報処理部１２３とを有する。
要求メール送信部１２１は、本発明の電子メール送信手段の一実施形態である。
返答メール受信部１２２は、本発明の電子メール受信手段の一実施形態である。
アドレス情報処理部１２３は、本発明のアドレス情報処理手段の一実施形態である。
【００３３】
要求メール送信部１２１は、自端末の電話番号に対応するＥメール・アドレスの参照や、ユーザが希望するアドレスの登録、現在登録中のアドレスの削除などを要求する要求メールを生成し、これを電子メール・サーバ装置４０に宛てて送信する処理を行う。
【００３４】
返答メール受信部１２２は、要求メール送信部１２１によって送信される要求メールに応じて電子メール・サーバ装置４０より送信される返答メールを受信する処理を行う。
【００３５】
アドレス情報処理部１２３は、返答メール受信部１２２において受信される返答メールに含まれるＥメール・アドレスに関連する情報を抽出し、抽出したＥメール・アドレスの情報を記憶部１３０に記憶させる処理を行う。
【００３６】
すなわち、アドレス情報処理部１２３は、Ｅメール・アドレスの参照を要求する要求メールに応じた返答メールから、電子メール・サーバ装置４０において現在登録されている自端末のＥメール・アドレスの情報を抽出し、これを記憶部１３０に記憶させる。
Ｅメール・アドレスの登録を要求する要求メールに応じて返信された返答メールからは、電子メール・サーバ装置４０において当該登録要求が受理されたＥメール・アドレスの情報を抽出し、これを記憶部１３０に記憶させる。当該登録要求が受理されず、アドレスの登録が行われなかった場合は、そのことを通知する情報をユーザインターフェース部１４１から出力させる。
Ｅメール・アドレスの登録削除を要求する要求メールに応じて返信された返答メールからは、当該登録削除要求が受理された場合に設定されるデフォルトのアドレスの情報を抽出し、これを記憶部１３０に記憶させる。
【００３７】
また、アドレス情報処理部１２３は、要求メール送信部１２１において送信される要求メールに応じた返答メールが所定時間内に返答メール受信部１２２に受信されない場合、記憶部１３０に記憶されるＥメール・アドレスの情報を初期化する。これにより、電子メール・サーバ装置４０において登録されているアドレスと記憶部１３０に記憶されるアドレスとの不一致を防止する。
【００３８】
図４は、定型文を使った電子メールの作成を行う制御部１２０のプログラムの構成例を示すブロック図である。
図４に示すプログラムは、定型文管理部１２４と、文字データ処理部１２５と、電子メール作成部１２６とを有する。
定型文管理部１２４、文字データ処理部１２５、および電子メール作成部１２６を含むユニットは、本発明の電子データ作成手段の一実施形態である。
【００３９】
定型文処理部１２４は、文字データを定型文として登録する処理や、登録した定型文を要求に応じて出力する処理を行う。
すなわち、ユーザインターフェース部１４０における文字入力操作により文字データ処理部１２５において生成される文字列のデータや、上述のアドレス情報処理部１２３の処理によって記憶部１３０に格納されるＥメール・アドレスの情報を、定型文として登録する処理を行う。また、文字データ処理部１２５から定型文の出力を要求された場合に、当該要求において指定された定型文を記憶部１３０から読み出して文字データ処理部１２５に出力する。
【００４０】
文字データ処理部１２５は、ユーザインターフェース部１４０における所定の文字入力操作に応じて、文字列のデータを生成する処理を行う。また、ユーザインターフェース部１４０において所定の定型文入力操作がなされた場合、定型文処理部１２４に定型文の出力を要求し、要求に応じて出力される定型文を生成中の文字列に挿入する。
【００４１】
電子メール作成部１２６は、ユーザインターフェース部１４０における所定のメニュー選択操作によって電子メールの作成が選択された場合、ユーザインターフェース部１４０に電子メール作成用の画面を表示させて文字列の入力を促す。そして、この電子メール作成画面上で文字データ処理部１２５により生成される文字列のデータを処理し、所定フォーマットの電子メールを作成する。
【００４２】
［記憶部１３０］
記憶部１３０は、制御部１２０における処理の実行過程で利用される一時的な変数データや定数データを記憶する。例えば、アドレス情報処理部１２３において取得される自端末のＥメール・アドレスや、定型文処理部１２４における定型文のデータなどを記憶する。
【００４３】
［ユーザインターフェース部１４０］
ユーザインターフェース部１４０は、制御部１２０の制御に従って、画像や音声などの情報の入出力を行う。ユーザインターフェース部１４０には、例えば図２に示すように、画像を表示する液晶ディプレイなど表示部１４１、電気信号と音声との変換を行うスピーカやマイクなどの音声入出力部１４２、低周波の振動を発生するモータなどの振動発生部１４３、押しボタンなどの入力操作機構を有するキー操作部１４４などが含まれる。
【００４４】
ここで、上述した構成を有する電子メール配送システムの動作を説明する。
【００４５】
まず、電子メールの配送に係わる動作として、通信装置間で電子メールの送受信を行う場合、インターネットへ電子メールを送信する場合、およびインターネットから電子メールを受信する場合についてそれぞれ説明する。
【００４６】
＜携帯電話網の通信装置間において電子メールを送受信する場合＞
携帯電話網の通信装置間においては、音声通話と同様の通信シーケンスによって通信装置の通信セッションが開設された後、その通信セッションを利用して電子メールが伝送される。
【００４７】
例えば図１に示すように、通信装置１０−１から通信装置１０−２へ電子メールを送信する場合、通信装置１０−１から発せられる呼び出し要求が基地局２０−１を介して交換機３０に伝えられる。そして、交換機３０において、予め登録されている位置情報に基づいて通信装置１０−２と通信可能な基地局２０−２が特定され、基地局２０−２から通信装置１０−２へ呼び出し信号が発せられる。この呼び出し信号に対して通信装置１０−２が応答することにより、通信装置１０−１と通信装置１０−２との間の通信セッションが開設され、電子メールの伝送が行われる。
【００４８】
＜インターネットへの電子メールを送信する場合＞
この場合、図５に示すように、携帯電話網の通信装置１０から送出される電子メールは、基地局２０から交換機３０、電子メール・サーバ装置４０、ゲートウェイ装置５０を介してインターネットに送られ、Ｅメール端末装置６０に配送される。
【００４９】
例えば、インターネットへ送信される電子メールは、その宛先の電話番号がダミーの番号‘９９９９’に設定され、Ｅメール端末装置６０のＥメール・アドレスが本文の１行目に挿入される。
【００５０】
電子メール・サーバ装置４０は、宛先の電話番号が‘９９９９’の場合に、その電子メールがインターネットへ送信されるものであることを認識し、携帯電話網の電子メールをインターネットのＥメールへ変換する処理を行う。すなわち、本文の１行目に挿入されている文字列を抜き出してＥメールの宛先アドレスに設定するとともに、送信元の電話番号に対応するＥメール・アドレスをテーブルから検索して、Ｅメールの送信元アドレスに設定する。
【００５１】
このようにして携帯電話網の電子メールから変換されたＥメールが、ゲートウェーサーバ装置を介してインターネットに送られ、Ｅメール端末装置６０に配送される。
【００５２】
＜インターネットから電子メールを受信する場合＞
この場合、図６に示すように、インターネットからのＥメールは、ゲートウェイ装置５０から電子メール・サーバ装置４０、交換機３０、基地局２０を介して通信装置１０に配送される。
【００５３】
すなわち、インターネットからのＥメールがゲートウェイ装置５０を介して電子メール・サーバ装置４０に入力されると、電子メール・サーバ装置４０は、入力されたＥメールを携帯電話網の電子メールへ変換する処理を行う。例えば、Ｅメールの宛先アドレスに対応する電話番号をテーブルから検索して、これを携帯電話網の電子メールにおける宛先の電話番号に設定する。また、携帯電話網の電子メールにおける送信元の電話番号として‘９９９９’を設定し、Ｅメールの送信元アドレスを電子メールの本文の１行目に挿入する。
【００５４】
このようにしてＥメールから変換された携帯電話網の電子メールが交換機３０に入力されると、交換機３０は、電子メールの宛先の電話番号から特定される通信装置１０を呼び出して通信セッションを開設し、電子メールを通信装置１０へ伝送する。通信装置１０は、受信した電子メールの送信元の電話番号が‘９９９９’の場合、この電子メールがインターネット経由で送られたものであることを認識し、本文の１行目の文字列を抜き出して、これを送信元のＥメール・アドレスとして表示する。
【００５５】
次に、携帯電話網の通信装置１０が自らのＥメール・アドレスの参照、登録、登録削除を電子メール・サーバ装置４０に要求する動作について、図７〜図１４を参照して説明する。
【００５６】
図７は、通信装置１０からの要求メールに応じて電子メール・サーバ装置４０から返答メールが返信される動作を図解した図である。
【００５７】
通信装置１０は、電子メール・サーバ装置４０において通常の電子メールと要求メールとを判別できるように、要求メールを所定のフォーマットで作成する。
【００５８】
例えば図７に示すように、Ｅメール・アドレスの参照を要求する要求メールの場合、その宛先の電話番号には、インターネットへの電子メールであることを示すダミー番号‘９９９９’を設定し、宛先のＥメール・アドレスを示す本文の１行目には、所定の文字列‘ｓａｎｓｙｏｏ’を設定する。また、この宛先アドレスに続く本文の２行目には、所定の文字列‘００００’を配置する。
【００５９】
電子メール・サーバ装置４０は、交換機３０からインターネット宛ての電子メール（宛先電話番号がダミー番号‘９９９９’の電子メール）を入力すると、本文の１行目のＥメール・アドレスと、これに続く本文２行目の文字列とを調べて、この入力した電子メールが要求メールであるか否かを判定する。
判定の結果、入力した電子メールが要求メールである場合、電子メール・サーバ装置４０は、要求に応じた返答メールを作成して要求元の通信装置に返送する。
【００６０】
例えば図７に示すように、電子メールの送信元の電話番号には、インターネットからの電子メールであることを示すダミー番号‘９９９９’を設定し、送信元のＥメール・アドレスを示す本文の１行目には、所定の文字列‘ＭｙＡｄｄｒｅｓｓ’を設定する。また、この送信元アドレスに続く本文の２行目には、要求されたＥメール・アドレスを配置する。
【００６１】
図８は、電子メール・サーバ装置４０における要求メールおよび返答メールの処理の一例を図解したフローチャートである。
【００６２】
電子メール・サーバ装置４０は、通信装置からの電子メールを受信すると（ステップＳＴ１０５）、その宛先と本文の文字列を調べることによって、受信した電子メールがＥメール・アドレスの参照、登録、登録削除を要求する要求メールであるか否かを判別する（ステップＳＴ１１０，ＳＴ１３０，ＳＴ１５０）。
【００６３】
図９は、受信した電子メールがＥメール・アドレスの参照を要求する要求メールであるか否かを判定する処理（ステップＳＴ１１０）の一例を図解したフローチャートである。
ステップＳＴ１１０１〜ＳＴ１１０８は、宛先のＥメール・アドレスの１文字目〜８文字目が、終了文字を含む文字列‘ｓａｎｓｙｏｏ’と等しいか否かを調べるステップであり、ステップＳＴ１１０９〜ＳＴ１１１３は、このＥメール・アドレスに続く本文の１文字目〜５文字目が、終了文字を含む文字列‘００００’と等しいか否かを調べるステップである。上述した判定ステップの結果において、宛先のＥメール・アドレスが文字列‘ｓａｎｓｙｏｏ’と等しく、かつ、これに続く電子メールの本文が文字列‘００００’と等しい場合、電子メール・サーバ装置４０は、受信した電子メールがＥメール・アドレスの参照を要求する要求メールであると判定する。
【００６４】
図１０は、受信した電子メールがＥメール・アドレスの登録削除を要求する要求メールであるか否かを判定する処理（ステップＳＴ１３０）の一例を図解したフローチャートである。
ステップＳＴ１３０１〜ＳＴ１３０８は、宛先のＥメール・アドレスの１文字目〜８文字目が、終了文字を含む文字列‘ｓａｋｕｊｙｏ’と等しいか否かを調べるステップであり、ステップＳＴ１３０９〜ＳＴ１３１３は、このＥメール・アドレスに続く電子メールの本文の１文字目〜５文字目が、終了文字を含む文字列‘００００’と等しいか否かを調べるステップである。上述した判定ステップの結果において、宛先のＥメール・アドレスが文字列‘ｓａｋｕｊｙｏ’と等しく、かつ、これに続く電子メールの本文が文字列‘００００’と等しい場合、電子メール・サーバ装置４０は、受信した電子メールがＥメール・アドレスの登録削除を要求する要求メールであると判定する。
【００６５】
図１１は、受信した電子メールがＥメール・アドレスの登録を要求する要求メールであるか否かを判定する処理（ステップＳＴ１５０）の一例を図解したフローチャートである。
ステップＳＴ１５０１〜ＳＴ１５０８は、宛先のＥメール・アドレスの１文字目〜８文字目が、終了文字を含む文字列‘ｔｏｕｒｏｋｕ’と等しいか否かを調べるステップである。上述した判定ステップの結果において、宛先のＥメール・アドレスが文字列‘ｔｏｕｒｏｋｕ’と等しい場合、電子メール・サーバ装置４０は、受信した電子メールがＥメール・アドレスの登録を要求する要求メールであると判定する。そして、この宛先のＥメール・アドレスに続く電子メールの本文の先頭から終了文字までの文字列を読み込み、これを登録希望アドレスの情報として保存する（ステップＳＴ１５０９〜ＳＴ１５１１）。登録希望アドレスの情報には、例えば、Ｅメール・アドレスにおいてユーザ名を示す情報などが含まれる。
【００６６】
受信した電子メールがＥメール・アドレスの参照を要求する要求メールであると判定した場合（ステップＳＴ１１０）、電子メール・サーバ装置４０は、Ｅメール・アドレスと電話番号とを対応づけるテーブルから、要求元の電話番号に対応するＥメール・アドレスを検索する（ステップＳＴ１１５）。そして、この検索したＥメール・アドレスを含む返答メールを生成し、これを要求元の通信装置に送信する（ステップＳＴ１２０）。
この場合の返答メールには、送信元の電話番号にＥメールを表すダミー番号‘９９９９’が設定され、送信元のＥメール・アドレスを示す本文の１行目には所定の文字列‘ＭｙＡｄｄｒｅｓｓ’が設定される。また、この文字列‘ＭｙＡｄｄｒｅｓｓ’に続く本文の２行目には、テーブル検索によって取得されたＥメール・アドレスが配置される。
【００６７】
受信した電子メールがＥメール・アドレスの登録削除を要求する要求メールであると判定した場合（ステップＳＴ１３０）、電子メール・サーバ装置４０は、Ｅメール・アドレスと電話番号とを対応づけるテーブルから、要求元の電話番号に対応するＥメール・アドレスを検索し、そのＥメール・アドレスを所定の初期アドレスに戻す（ステップＳＴ１３５）。そして、この初期アドレスを含む返答メールを生成し、これを要求元の通信装置に送信する（ステップＳＴ１４０）。
この場合の返答メールにおいても、送信元の電話番号にＥメールを表すダミー番号‘９９９９’が設定され、送信元のＥメール・アドレスを示す本文の１行目には所定の文字列‘ＭｙＡｄｄｒｅｓｓ’が設定される。また、文字列‘ＭｙＡｄｄｒｅｓｓ’に続く本文の２行目には、上述の初期アドレスが配置される。
【００６８】
受信した電子メールがＥメール・アドレスの登録を要求する要求メールであると判定した場合（ステップＳＴ１５０）、電子メール・サーバ装置４０は、ステップＳＴ１５０において取得した登録希望アドレスの情報に相当するＥメール・アドレスが他の電話番号に対して登録されているかどうかを、上述したテーブルを検索することにより調べる。登録されていない場合は、要求元の通信装置に対して登録中のＥメール・アドレスを、ステップＳＴ１５０において取得した登録希望アドレスの情報に基づいて更新する（ステップＳＴ１５５）。そして、この新たに登録したアドレスを含む返答メールを生成し、これを要求元の通信装置に送信する（ステップＳＴ１６０）。
この場合の返答メールにおいても、送信元の電話番号にＥメールを表すダミー番号‘９９９９’が設定され、送信元のＥメール・アドレスを示す本文の１行目には所定の文字列‘ＭｙＡｄｄｒｅｓｓ’が設定される。また、文字列‘ＭｙＡｄｄｒｅｓｓ’に続く本文の２行目には、新たに登録されたアドレスが配置される。
【００６９】
なお、上述したテーブルの検索によって、登録希望アドレスが既に他の電話番号に対して登録されていることが判明した場合、電子メール・サーバ装置４０は、登録要求が受理されなかったことを示す所定の返答メールを生成して要求元に送信する（ステップＳＴ１６０）。
【００７０】
図１２は、通信装置１０の制御部１２０のプログラムにおける要求メール送信部１２１の処理の一例を図解したフローチャートである。
【００７１】
要求メール送信部１２１は、ユーザインターフェース部１４０における所定のメニュー選択操作によって要求メールの送信処理が選択された場合、要求内容の選択を促す所定の画面をユーザインターフェース部１４０の表示部１４１に表示させる。この画面表示に従ってユーザインターフェース部１４０のキー操作部１４４から選択結果を指示する情報が入力されると、これに応じて、選択された要求内容がＥメール・アドレスの参照、登録、登録削除の何れであるかを判定する（ステップＳＴ２０５）。
【００７２】
Ｅメール・アドレスの参照が選択されたと判定した場合、要求メール送信部１２１は、宛先のＥメール・アドレスを示す本文の１行目に文字列‘ｓａｎｓｙｏｏ’を設定し（ステップＳＴ２１０）、これに続く本文の２行目に文字列‘００００’を設定する（ステップＳＴ２１５）。
【００７３】
Ｅメール・アドレスの登録が選択されたと判定した場合、要求メール送信部１２１は、宛先のＥメール・アドレスを示す本文の１行目に文字列‘ｔｏｕｒｏｋｕ’を設定する（ステップＳＴ２２０）。また、ユーザインターフェース部１４０の表示部１４１に登録希望アドレスの入力を促す画面を表示させ、ユーザインターフェース部１４０のキー操作部１４４から登録希望アドレスの情報を入力させる（ステップＳＴ２２５）。そして、入力された登録希望アドレスの情報を、宛先のＥメール・アドレスに続く本文の２行目に設定する（ステップＳＴ２３０）。
【００７４】
Ｅメール・アドレスの登録削除が選択されたと判定した場合、要求メール送信部１２１は、宛先のＥメール・アドレスを示す本文の１行目に文字列‘ｓａｋｕｊｙｏ’を設定し（ステップＳＴ２４０）、これに続く本文の２行目に文字列‘００００’を設定する（ステップＳＴ２４５）。
【００７５】
要求メール送信部１２１は、上記のようにして要求メールの宛先Ｅメール・アドレスと本文にそれぞれ所定の文字列を設定すると、この要求メールの宛先電話番号にＥメールを表すダミー番号‘９９９９’を設定して、これを電子メール・サーバ装置４０に送信する（ステップＳＴ２５０）。
【００７６】
図１３は、通信装置１０の制御部１２０のプログラムにおける要求メール受信部１２２の処理の一例を図解したフローチャートである。
【００７７】
要求メール送信部１２１において要求メールが送信されると、要求メール受信部１２２は、送信時点からの経過時間を計測し、この経過時間が所定時間を超えるか否かを判定する（ステップＳＴ３０５）。所定時間を超えた場合は、これを通知するフラグ（タイムアウト・フラグ）をセットして、アドレス情報処理部１２３の処理を起動させる。
【００７８】
また、要求メール受信部１２２は、要求メールの送信時点からの経過時間が所定時間を超えない場合、電子メールの受信の有無を監視して（ステップＳＴ３１０）、受信した電子メールの送信元の電話番号がＥメールを表すダミー番号‘９９９９’であり、かつ、宛先のＥメール・アドレスを示す本文の１行目に文字列‘ＭｙＡｄｄｒｅｓｓ’が設定されているか調べる（ステップＳＴ３１５，ＳＴ３２０）。この条件を満たしている場合、受信した電子メールが返答メールであると判定し、アドレス情報処理部１２３の処理を起動させる。条件を満たしていない場合は、引き続き上記の条件を満たす電子メールの到来を待つ。
【００７９】
図１４は、通信装置１０の制御部１２０のプログラムにおけるアドレス情報処理部１２３の処理の一例を図解したフローチャートである。
【００８０】
アドレス情報処理部１２３は、まず要求メール送信部１２１によってタイムアウト・フラグがセットされているか否かを調べ（ステップＳＴ４０５）、これがセットされている場合、記憶部１３０に記憶されている自端末のＥメール・アドレスの情報を初期化する（ステップＳＴ４５０）。
【００８１】
タイムアウト・フラグがセットされていない場合、アドレス情報処理部１２３は、受信した返答メールがアドレスの登録不受理を示す所定フォーマットのメールであるか否かを判定する（ステップＳＴ４１０）。登録不受理を示すメールである場合は、不受理を通知する所定のメッセージをユーザインターフェース部１４１の表示部１４１に表示させる（ステップＳＴ４４０）。
【００８２】
受信した返答メールが登録不受理を示すメールでない場合、アドレス情報処理部１２３は、返答メールの本文２行目に配置される自端末のＥメール・アドレスの情報を抽出し（ステップＳＴ４２０）、これを記憶部１３０の所定の記憶領域に記憶させる（ステップＳＴ４２５）。また、上述した定型文処理部１２４（図４）を起動させて、このＥメール・アドレスの情報を定型文として登録させる（ステップＳＴ４３０）。
【００８３】
以上説明したように、本実施形態に係る通信装置１０によれば、自端末のＥメール・アドレスの参照、登録、登録削除等を要求する要求メールが要求メール送信部１２１において生成されて電子メール・サーバ装置４０に送信され、この要求メールに応じて電子メール・サーバ装置４０より送信される返答メールが返答メール受信部１２２において受信される。そして、アドレス情報処理部１２３において、受信された返答メールに含まれる自端末のＥメール・アドレスに関連する情報が抽出され、記憶部１３０に記憶される。記憶されたＥメール・アドレスの情報は、ユーザインターフェース部１４０における所定の入力操作に応じて記憶部１３０から読み出され、ユーザインターフェース部１４０から出力される。
このように、電子メール・サーバ装置４０から取得した自端末のＥメール・アドレスを自動的に記憶部１３０に記憶させ、ユーザインターフェース部１４０においてこれを出力させることができるため、紙に書き写すなどの手間をかけることなく、自端末のＥメール・アドレスを容易に確認することが可能になる。
【００８４】
また、要求メール送信部１２１において送信される要求メールに応じた返答メールが所定時間内に返答メール受信部１２２に受信されない場合、記憶部１３０に記憶されるＥメール・アドレスの情報が初期化されるため、記憶部１３０に記憶される自端末のＥメール・アドレスと、電子メール・サーバ装置４０に登録されている実際のＥメール・アドレスとの不一致を防止することができる。
【００８５】
更に、電子メール・サーバ装置４０から取得した自端末のＥメール・アドレスが定型文として自動的に登録され、ユーザインターフェース部１４０における所定の入力操作に応じて、このＥメール・アドレスの情報が定型文として記憶部１３０から読み出されて、電子メールの作成などに使用される。したがって、取得した自端末のＥメール・アドレスを利用した電子データを容易に作成することが可能になり、電子データの作成を簡略化することができる。
【００８６】
なお、本発明は上述した実施形態に限定されず、種々の改変が可能である。
【００８７】
例えば、上述した実施形態における要求メールおよび返答メールのフォーマットは説明上の一例であり、通信網のプロトコルに合わせて任意に変更可能である。
【００８８】
上述した実施形態では、Ｅメール・アドレスの参照要求に対する返答メールが受信されない場合についてもタイムアウトによる記憶部１３０の初期化を行っているが、参照要求の場合、電子メール・サーバ装置において登録内容の変更は行われないので、この場合についてはタイムアウトの処理を省略しても良い。
【００８９】
上述した実施形態において、制御部１２０の処理はプログラムに基づいて実行されるものとしているが、その一部または全部をハードウェアによって実行させても良い。
【００９０】
上述した実施形態では、記憶部１３０に記憶されるＥメール・アドレスの情報を電子メールの作成に用いる場合について述べているが、電子メールに限らず、例えば電子的なメモ帳において文章を作成する場合など、種々の電子データを作成する際に記憶部１３０のＥメール・アドレスを読み出して用いても良い。
【図面の簡単な説明】
【００９１】
【図１】本発明の実施形態に係る電子メール配送システムの構成の一例を示すブロック図である。
【図２】本発明の実施形態に係る通信装置の構成の一例を示すブロック図である。
【図３】自端末のＥメール・アドレスの参照、登録、登録削除に係わる処理を行う制御部のプログラムの構成例を示すブロック図である。
【図４】定型文を使った電子メールの作成を行う制御部のプログラムの構成例を示すブロック図である。
【図５】携帯電話網の通信装置からインターネットへ電子メールを送信する場合の動作の一例を図解した図である。
【図６】インターネットからの電子メールを携帯電話網の通信装置で受信する場合の動作の一例を図解した図である。
【図７】通信装置からの要求メールに応じて電子メール・サーバ装置から返答メールが返信される動作を図解した図である。
【図８】電子メール・サーバ装置における要求メールおよび返答メールの処理の一例を図解したフローチャートである。
【図９】電子メール・サーバ装置において受信した電子メールがＥメール・アドレスの参照を要求する要求メールであるか否かを判定する処理の一例を図解したフローチャートである。
【図１０】電子メール・サーバ装置において受信した電子メールがＥメール・アドレスの登録削除を要求する要求メールであるか否かを判定する処理の一例を図解したフローチャートである。
【図１１】電子メール・サーバ装置において受信した電子メールがＥメール・アドレスの登録を要求する要求メールであるか否かを判定する処理の一例を図解したフローチャートである。
【図１２】通信装置の制御部のプログラムにおける要求メール送信部の処理の一例を図解したフローチャートである。
【図１３】通信装置の制御部のプログラムにおける要求メール受信部の処理の一例を図解したフローチャートである。
【図１４】通信装置の制御部のプログラムにおけるアドレス情報処理部の処理の一例を図解したフローチャートである。
【符号の説明】
【００９２】
１０，１０−１，１０−２…通信装置、２０，２０−１，２０−２…基地局、３０…交換機、４０…電子メール・サーバ装置、５０…ゲートウェイ装置、６０…Ｅメール端末装置、１１０…通信処理部、１２０…制御部、１２１…要求メール送信部、１２２…返答メール受信部、１２３…アドレス情報処理部、１２４…定型文処理部、１２５…文字データ処理部、１２６…電子メール作成部、１３０…記憶部、１４０…ユーザインターフェース部、１４１…表示部、１４２…音声入出力部、１４３…振動発生部、１４４…キー操作部
【図１】
2005073159.tif 000003
【図２】
2005073159.tif 000004
【図３】
2005073159.tif 000005
【図４】
2005073159.tif 000006
【図５】
2005073159.tif 000007
【図６】
2005073159.tif 000008
【図７】
2005073159.tif 000009
【図８】
2005073159.tif 000010
【図９】
2005073159.tif 000011
【図１０】
2005073159.tif 000012
【図１１】
2005073159.tif 000013
【図１２】
2005073159.tif 000014
【図１３】
2005073159.tif 000015
【図１４】
2005073159.tif 000016